(57)【要約】      （修正有）【課題】配管の支持固定作業を簡単且つ容易に行うことができ、スリーブ内に流れ込むことのないコンクリート打設を可能にする床スリーブユニットを提供する。【解決手段】床スリーブユニット１はデッキプレート１１に形成した複数のスリーブ配置穴１１ａに起立固定している。デッキプレートに固定した床スリーブ１０は、建物の床を貫通し、床の上部に先端を露出した設置構造とする。配管を挿通するスリーブ本体１２に設けた支持基台１５は取付台部１６と床面固定台部１８を一体に形成している。Ｕボルト２８と配管固定部材２２からなる配管固定機構２０は、取付台部に着脱自在に設け、スリーブ本体を挿通する配管を支持固定する。床面固定台部にはアンカー用のねじボルト３２を設け、コンクリート打設される床の中に埋込み固定される。スリーブ本体の上部開口に着脱自在に蓋部材３０を設け、配管固定機構により仮止め固定し、床を構築したら外す。【選択図】図１
0003200323.tif 000002
【実用新案登録請求の範囲】
【請求項１】
デッキプレートに形成した複数のスリーブ配置穴に、建物の床を貫通して前記床の上部に先端を所定長露出するように配置する床スリーブを起立状態で固定した床スリーブユニットに於いて、
前記複数の床スリーブの各々は、
配管を挿通する円筒状のスリーブ本体と、
前記スリーブ本体の上部外側の床から露出する位置に設けられ、前記スリーブ本体の上部開口と面一に取付台部を上側に形成すると共に前記床の上面に当接して固定する床面固定台部を下側に形成した支持基台と、
前記支持基台の取付台部に着脱自在に設けられ、前記スリーブ本体を高さ方向に挿通する配管を支持固定する配管固定機構と、
前記支持基台の床面固定台部に設けられ、コンクリートを打設して形成される前記床の中に埋込み固定されるアンカー部材と、
を設けたことを特徴とする床スリーブユニット。
【請求項２】
請求項１記載の床スリーブユニットに於いて、前記スリーブ本体の上部開口に着脱自在に蓋部材を設け、前記蓋部材を前記配管固定機構により仮止め固定したことを特徴とする床スリーブユニット。
【請求項３】
請求項１記載の床スリーブユニットに於いて、前記アンカー部材は所定長のボルト部材であり、前記取付基台の床面固定台部に設けた通し穴に挿通してナットにより固定したことを特徴とする床スリーブユニット。
【請求項４】
請求項３記載の床スリーブユニットに於いて、前記取付基台の床面固定台部に形成した通し穴は、前記ボルト部材を前記スリーブ本体側に近接して固定可能な長穴としたことを特徴とする床スリーブユニット。
【請求項５】
請求項４記載の床スリーブユニットに於いて、前記取付基台の床面固定台部に固定して下側に延在した前記ボルト部材の埋設部位に抜け止め用のナットを設けたことを特徴とする床スリーブユニット。
【請求項６】
請求項１記載の床スリーブユニットに於いて、前記配管固定機構は、
前記スリーブ本体を挿通する配管を固定するＵ字締結部材と、
Ｌ字断面を持つアングル材により構成し、前記支持基台の取付台部にボルト止めにより固定する水平固定片と前記Ｕ字締結部材を固定する垂直固定片を配置した配管固定部材と、
備えたことを特徴とする床スリーブユニット。
【請求項７】
請求項２記載の床スリーブユニットに於いて、前記配管固定機構は、
前記スリーブ本体を挿通する配管を固定するＵ字締結部材と、
Ｌ字断面を持つアングル材により構成し、前記支持基台の取付台部にボルト止めにより固定する水平固定片と前記Ｕ字締結部材を固定する垂直固定片を配置した配管固定部材と、
を備え、
前記スリーブ本体の上部開口に設けた前記蓋部材を、前記支持基台の取付台部に対する前記配管固定部材のボルト止めにより挟み込んで仮止め固定することを特徴とする床スリーブユニット。
【考案の詳細な説明】
【技術分野】
【０００１】
本考案は、デッキプレートに複数の床スリーブを起立状態で固定した床スリーブユニットに関する。
【背景技術】
【０００２】
従来、ビルやマンション等の建築構造物に設置される水回りの配管設備にあっては、鉄筋構造物に対し床を構築する仮枠を設置して鉄筋を配筋し、仮枠の所定位置に必要な数の床スリーブを固定し、この状態でコンクリートを打設し、コンクリートが固まった後に、床スリーブに配管を通し、床スリーブの床面開口部にアングル材を使用した配管固定部を現場作業により設けて配管を支持固定している。
【０００３】
しかし、仮枠に複数の床スリーブを設置する場合、現場作業として床スリーブの配置位置を墨出しする作業が必要であり、手間と時間がかかることから、図１３に示す床スリーブユニットを用いるようにしている。
【０００４】
図１３（Ａ）はスリーブユニットの組立前の分解状態を示しており、工場設備を利用し、建物の水周りとなる床スリーブの配置スペースに対応した所定サイズの鋼板を用いたデッキプレート１０２を準備し、デッキプレート１０２の所定位置に必要とする数のスリーブ配置穴１０２ａを加工し、ここに図１３（Ｂ）に示すように、床スリーブ１０１を起立状態で配置して溶接などにより固定し、床スリーブユニット１００を製作する。
【０００５】
図１４乃至図１６は従来の床スリーブユニットの設置工事を示している。まず図１４に示すように、例えば隣接する上下階の床工事を例にとると、鉄筋構造物（図示せず）に対し仮枠１０３を設置し、水回りとなる所定の位置の仮枠１０３に床スリーブユニット１００を配置し、デッキプレート１０２を釘など固定し、更に鉄筋１０４を配筋し、床スリーブ１０１を結束線などで鉄筋１０４に固定する。
【０００６】
この状態でコンクリートを打設することで、図１５に示すように、床スリーブユニット１００に配置した複数の床スリーブ１０１により貫通穴を持つコンクリート床１０５を構築する。ここで、床スリーブ１０１はコンクリート床１０５の上部に所定長だけ露出した露出部１００ａを持つ配置構造としている。
【０００７】
次に、図１６に示すように、コンクリート床１０５における床面の床スリーブ１０１が開口した位置に、アングル材を利用して配管固定部１０８を現場作業で設置する。更に、図１５に示すように、床スリーブ１０１を高さ方向に挿通する配管１０６を、配管固定部１０８により固定支持し、床スリーブ１０１と配管１０６の間の隙間に不燃材やシール材を充填して隙間を塞ぐようにしている。
【０００８】
図１７及び図１８は従来の配管固定部を拡大して示しており、図１７（Ａ）は正面を示し、図１７（Ｂ）は平面を示し、図１８は側面を示す。図１７及び図１８に示すように、配管固定部１０８は、断面コ字型のアングル材を床面固定台１１０として床スリーブ１０１の開口を挟んで両側２箇所にアンカーボルト１１６等で固定し、床面固定台１１０の上に断面Ｌ字型のアングル材を配管固定部材１１２として溶接等により固定し、Ｕボルト１１４により配管１０６を配管固定部材１１２に押し当てた状態でナット１１８の螺合により締め付け固定し、配管１０６の中心が床スリーブ１０１の略中心を通るように位置決め固定している。
【先行技術文献】
【特許文献】
【０００９】
【特許文献１】特開平６−３０６９７６号公報
【特許文献２】実用新案登録第３１８６３４７号公報
【考案の概要】
【考案が解決しようとする課題】
【００１０】
しかしながら、このような従来の床スリーブユニットにあっては、図１７及び図１８に示した配管固定部１０８を、溶接装置を使用した現場作業により組み付けて配管を支持固定しており、アーク溶接装置の場合は電源の確保が必要であり、またガス溶接装置の場合にはガスボンベの搬入を必要とし、スペース的に制約のある場所での作業となり、そのために手間と時間がかかるという問題がある。
【００１１】
また、コンクリート打設により床スリーブの中にコンクリートが入らないように、スリーブ本体の上部開口をダンボールや板切れ等の材料で一時的に塞ぐ現場作業を行う場合もあり、コンクリート打設の前に行う準備作業に手間と時間がかかり、また、有り合わせの材料を使用して床スリーブの開口を閉鎖しているが、閉鎖が不完全な場合には床スリーブの中にコンクリートが入って固まり、これを取り除く作業を必要とする問題がある。
【００１２】
本考案は、作業現場での配管の支持固定作業を簡単且つ容易に行うことを可能とし、また、スリーブ内にコンクリートが流れ込むことのないコンクリート打設を可能にする床スリーブユニットを提供することを目的とする。
【課題を解決するための手段】
【００１３】
（床スリーブ）
本考案は、デッキプレートに形成した複数のスリーブ配置穴に、建物の床を貫通して床の上部に先端を所定長露出するように配置する床スリーブを起立状態で固定した床スリーブユニットに於いて、
複数の床スリーブの各々は、
配管を挿通する円筒状のスリーブ本体と、
スリーブ本体の上部外側の床から露出する位置に設けられ、スリーブ本体の上部開口と面一に取付台部を上側に形成すると共に床の上面に当接して固定する床面固定台部を下側に形成した支持基台と、
支持基台の取付台部に着脱自在に設けられ、スリーブ本体を高さ方向に挿通する配管を支持固定する配管固定機構と、
支持基台の床面固定台部に設けられ、コンクリートを打設して形成される床の中に埋込み固定されるアンカー部材と、
を設けたことを特徴とする。
【００１４】
（スリーブ開口に設けた蓋部材）
また、本考案の床スリーブユニットは、スリーブ本体の上部開口に着脱自在に蓋部材を設け、蓋部材を配管固定機構により仮止め固定する。
【００１５】
（アンカー部材）
アンカー部材は所定長のボルト部材であり、取付基台の床面固定台部に設けた通し穴に挿通してナットにより固定する。
【００１６】
（長穴）
取付基台の床面固定台部に形成した通し穴は、ボルト部材をスリーブ本体側に近接して固定可能な長穴とする。
【００１７】
（抜け止めナット）
取付基台の床面固定台部に固定して下側に延在したボルト部材の埋設部位に抜け止め用のナットを設ける。
【００１８】
（配管固定機構）
配管固定機構は、
スリーブ本体を挿通する配管を固定するＵ字締結部材と、
Ｌ字断面を持つアングル材により構成し、支持基台の取付台部にボルト止めにより固定する水平固定片とＵ字締結部材を固定する垂直固定片を配置した配管固定部材と、
備える。
【００１９】
（配管固定機構による蓋部材の仮止め固定）
配管固定機構は、
スリーブ本体を挿通する配管を固定するＵ字締結部材と、
Ｌ字断面を持つアングル材により構成し、支持基台の取付台部にボルト止めにより固定する水平固定片とＵ字締結部材を固定する垂直固定片を配置した配管固定部材と、
を備え、
スリーブ本体の上部開口に設けた蓋部材を、支持基台の取付台部に対する配管固定部材のボルト止めにより挟み込んで仮止め固定する。
【考案の効果】
【００２０】
（基本的な効果）
本考案は、デッキプレートに形成した複数のスリーブ配置穴に、建物の床を貫通して床の上部に先端を所定長露出するように配置する床スリーブを起立状態で固定した床スリーブユニットに於いて、複数の床スリーブの各々は、配管を挿通する円筒状のスリーブ本体と、スリーブ本体の上部外側の床から露出する位置に設けられ、スリーブ本体の上部開口と面一に取付台部を上側に形成すると共に床の上面に当接して固定する床面固定台部を下側に形成した支持基台と、支持基台の取付台部に着脱自在に設けられ、スリーブ本体を高さ方向に挿通する配管を支持固定する配管固定機構と、支持基台の床面固定台部に設けられ、コンクリートを打設して形成される床の中に埋込み固定されるアンカー部材とを設けるようにしたため、コンクリートを打設して床を構築した後に、床スリーブユニットに設けた床スリーブの開口部に配管固定部を設置する現場作業が不要となり、溶接装置を必要とすることなく、作業現場において床スリーブのスリーブ本体を高さ方向に挿通する配管を、スリーブ本体の上部に一体に設けた支持基台と配管固定機構により支持固定することができる。
【００２１】
また、スリーブ本体に設けた支持基台の床面固定台部にアンカー部材を設けたことで、コンクリート打設による床面の構築でアンカー部材が床の中に埋込み固定されるため、コンクリートを打設して床を構築した後に、床面固定台部をアンカーボルト等の打ち込みにより床面に固定する現場作業も不要となる。
【００２２】
（スリーブ開口に設けた蓋部材による効果）
また、本考案の床スリーブユニットは、スリーブ本体の上部開口に着脱自在に蓋部材を設け、蓋部材を配管固定機構により仮止め固定するようにしたため、床スリーブユニットを鉄筋構造物の仮枠に固定してコンクリートを打設する場合、スリーブ本体の上部開口は蓋部材の仮止めにより完全に閉鎖されており、打設したコンクリートがスリーブ本体の中に入ることを確実に防止し、配管作業を行う場合に配管固定機構を利用して仮止めしている蓋部材を取り外すことで、コンクリートが中に入っていない状況で効率良く配管を通して支持固定することを可能とする。
【００２３】
また、蓋部材の仮止めは、本体スリーブと一体に設けた配管固定機構を利用しているため、蓋部材を仮止めするために特別な構造を設ける必要がない。
【００２４】
（アンカー部材による効果）
また、アンカー部材は所定長のボルト部材であり、取付基台の床面固定台部に設けた通し穴に挿通してナットにより固定するようにしたため、ボルト部材として例えば全ねじボルトを使用することで、床に対する全ねじボルトの埋込み深さを適宜に設定でき、またボルト溝がコンクリート内に埋まることで、確実に抜止め固定できる。
【００２５】
（長穴による効果）
また、取付基台の床面固定台部に形成した通し穴は、ボルト部材をスリーブ本体側に近接して固定可能な長穴とするようにしたため、床構築のために配筋した鉄筋に対し床スリーブユニットを結束線で仮止めする場合、スリーブ本体の両側に張り出した床面固定台部から下方に延在しているアンカー用のボルト部材が鉄筋に当る可能性があるが、床面固定台部のアンカー用のボルト部材の通し穴を長穴として、可能な限りアンカー用のボルト部材をスリーブ本体側に寄せて固定することで、鉄筋との干渉しないようにした鉄筋に対する床スリーブユニットの組付けを可能とする。
【００２６】
（抜け止めナットによる効果）
また、取付基台の床面固定台部に固定して下側に延在したボルト部材の埋設部位に抜け止め用のナットを設けるようにしたため、コンクリート打設によりボルト部材のボルト溝に加え、ボルト部材に途中にねじ込んでいるナットもコンクリート内に埋め込まれ、アンカー用のボルト部材の抜止め固定を更に強固なものにできる。
【００２７】
（配管固定機構による効果）
また、配管固定機構は、スリーブ本体を挿通する配管を固定するＵ字締結部材と、Ｌ字断面を持つアングル材により構成し、支持基台の取付台部にボルト止めにより固定する水平固定片とＵ字締結部材を固定する垂直固定片を配置した配管固定部材と設けるようにしたため、配管固定部材は市販のＬアングル材を利用していることから、製造が容易でコストを必要最小限に抑えることを可能とする。
【００２８】
（配管固定機構による蓋部材の仮止め固定の効果）
また、配管固定機構は、スリーブ本体を挿通する配管を固定するＵ字締結部材と、Ｌ字断面を持つアングル材により構成し、支持基台の取付台部にボルト止めにより固定する水平固定片とＵ字締結部材を固定する垂直固定片を配置した配管固定部材とを備え、スリーブ本体の上部開口に設けた蓋部材を、支持基台の取付台部に対する配管固定部材のボルト止めにより挟み込んで仮止め固定するようにしたため、スリーブ本体の上部開口を蓋部材で閉鎖した状態で配管固定機構の取付台部による挟み込みで確実に仮止めし、また、コンクリート打設後に蓋部材を外してスリーブ本体を高さ方向に配管を挿通して支持固定する作業を簡単且つ容易に行うことを可能とする。更に、配管固定部材は、いずれも市販のＬアングル材を利用していることから、製造が容易でコストを必要最小限に抑えることを可能とする。
【図面の簡単な説明】
【００２９】
【図１】本考案による床スリーブユニットの実施形態を側面から示した説明図
【図２】本考案による床スリーブユニットの実施形態を正面から示した説明図
【図３】図１の床スリーブを取り出して示した斜視図
【図４】図３の床スリーブを正面及び平面から示した説明図
【図５】図３の床スリーブを側面から示した説明図
【図６】図３の床スリーブの組立分解状態を正面から示した説明図
【図７】図３の床スリーブの組立分解状態を平面から示した説明図
【図８】図３の床スリーブの蓋部材を取り外した状態で示した斜視図
【図９】床工事における床スリーブユニットの組付け配置を示した説明図
【図１０】コンクリート打設により埋め込まれた床スリーブユニットを示した説明図
【図１１】本考案の床スリーブユニットによる配管の支持固定を側面から示した説明図
【図１２】本考案の床スリーブユニットによる配管の支持固定を正面から示した説明図
【図１３】従来の床スリーブユニットを示した説明図
【図１４】床工事における従来の床スリーブユニットの組付け配置を示した説明図
【図１５】コンクリート打設により埋め込まれた従来の床スリーブユニットを示した説明図
【図１６】現場作業による床スリーブを挿通した配管の支持固定を示した説明図
【図１７】図１６の従来の配管固定部を拡大して正面及び平面で示した説明図
【図１８】図１６の従来の配管固定部を拡大して側面で示した説明図
【考案を実施するための形態】
【００３０】
［床スリーブユニットの構成］
図１は本考案による床スリーブユニットの実施形態を側面から示した説明図、図２は本考案による床スリーブユニットの実施形態を正面から示した説明図、図３は図１の床スリーブを取り出して示した斜視図、図４は図３の床スリーブを正面及び平面から示した説明図、図５は図３の床スリーブを側面から示した説明図、図６は図３の床スリーブの組立分解状態を正面から示した説明図、図７は図３の床スリーブの組立分解状態を平面から示した説明図、図８は図３の床スリーブの蓋部材を取り外した状態で示した斜視図である。
【００３１】
（床スリーブユニットの概要）
図１及び図２に示すように、本実施形態の床スリーブユニット１は、デッキプレート１１と複数の床スリーブ１０で構成する。デッキプレート１１は、設置対象とする建物の水周りの配管設置位置に対応した所定の矩形サイズをもつ鋼板であり、所定の配管設置位置となる複数個所、例えば本実施形態では３箇所にスリーブ配置穴１１ａを穴開け加工して形成し、また周囲に仮枠に釘などで固定する場合に使用する通し穴１１ｂを形成している。
【００３２】
デッキプレート１１に形成したスリーブ配置穴１１ａの上には床スリーブ１０を起立した状態で溶接などにより固定している。
【００３３】
床スリーブ１０は、配管を挿通する円筒状のスリーブ本体１２と、スリーブ本体の上部外側の床から露出する位置に設けられた支持基台１５と、支持基台１５の上部に着脱自在に設けられスリーブ本体１２を高さ方向に挿通する配管を支持固定する配管固定部材２２とＵボルト２８を備えた配管固定機構２０と、支持基台１５の下側に設けられ、コンクリートを打設して形成される床の中に埋込み固定されるアンカー部材として機能する全ねじボルト３２で構成している。
【００３４】
ここで、配管固定機構２０の配管固定部材２２は取付台部１６と床面固定台部１８を一体に備える。また、スリーブ本体１２の上部開口には蓋部材３０を装着し、蓋部材３０を配管固定機構２０により仮止め固定している。
【００３５】
（床スリーブの構成）
図３乃至図８に取り出して示すように、デッキプレート上に起立配置する床スリーブ１０は、配管を挿通する円筒状のスリーブ本体１２と、スリーブ本体の上部外側の床から露出する位置に設けられた支持基台１５と、支持基台１５の上部に着脱自在に設けられスリーブ本体１２を高さ方向に挿通する配管を支持固定する配管固定機構２０と、支持基台１５の下側に設けられ、コンクリートを打設して形成される床の中に埋込み固定されるアンカー部材として機能する全ねじボルト３２で構成し、スリーブ本体１２の上部開口には蓋部材３０を装着し、蓋部材３０を配管固定機構２０により仮止め固定している。
【００３６】
（スリーブ本体）
スリーブ本体１２は例えばステンレス板を円筒形に加工して継ぎ目を溶接固定した管体であり、例えば肉厚は１．２ｍｍ、外形は１００ｍｍ、高さは２００ｍｍであり、外形及び高さについては、様々な寸法を準備している。
【００３７】
（支持基台）
支持基台１５は、図３乃至図８に示すように、外側に開いたコ字形の部材であり、スリーブ本体１２の上部両側に溶接等により一体に固定しており、スリーブ本体１２の上部開口と面一に取付台部１６を形成すると共に、下側にコンクリート床の上面に当接して固定する床面固定台部１８を一体に形成している。
【００３８】
スリーブ本体１２のコンクリート床に対する配置構造は、図５に示すように、スリーブ本体１２の長さをＬとすると、スリーブ本体１２の下側の長さＬ１の部分がコンクリート床に埋込設置され、上側の長さＬ２の部分がコンクリート床の上面から突出して露出する。このようなコンクリート床に対するスリーブ本体１２の配置構造に対応して、支持基台１５はスリーブ本体１２の床面露出部分の長さＬ２に対応した高さとしている。
【００３９】
スリーブ本体１２の上部に固定した支持基台１５の取付台部１６には、配管固定機構２０の配管固定部材２２をボルト３４とナット３６の締結により着脱自在に設けている。また、支持基台１５の床面固定台部１８には、アンカー用の全ねじボルト３２を挿通し、上部を２個のナット３６で床面固定台部１８に固定し、下方に延在した埋込部分となる全ねじボルト３２の途中にナット３６を嵌めている。
【００４０】
（配管固定機構）
配管固定機構２０は、図３乃至図８に示すように、配管固定部材２２及びＵボルト２８を備える。
【００４１】
配管固定部材２２は、図７（Ａ）に示すように、断面Ｌ形のアングル材を３本準備し、平面から見て前方に開いたコ字形に配置して溶接等により固着し、左右に位置する２本のアングル材の水平部分を水平固定片２４として長穴４２を形成し、スリーブ本体１２の上部に固定した支持基台１５の取付台部１６に設けた長穴４４に位置合わせし、図６に示すように、ワッシャ３５を介してボルト３４を上から通し、下からワッシャ３５を介してナット３６を嵌め入れて固定している。
【００４２】
水平固定片２４の長穴４２は奥行方向に長くなるように形成し、一方、取付台部１６の長穴４４は横方向に長くなるように形成しており、これによりボルト３４を通した状態でスリーブ本体１２の上部開口に対する配管固定部材２２の位置を長穴４２，４４の範囲内で位置調整可能としている。
【００４３】
配管固定部材２２の垂直固定片２６には、図６に示すように、Ｕボルト２８のネジ部２８ａを通す一対の長穴３１を形成しており、長穴３１は横方向に長くなるように生成しており、これにより図４（Ｂ）に示すように、スリーブ本体１２内に挿通する配管４０の中心がスリーブ本体１２の中心に一致するように、長穴３１の範囲内で位置調整可能としている。
【００４４】
また、図７（Ｂ）に示すように、支持基台１５の下側に形成した床面固定台部１８にはアンカー用の全ねじボルト３２を通す長穴４６を形成している。長穴４６は平面から見てスリーブ本体１２側に近づけるように形成している。
【００４５】
このような長穴４６の形成により、長穴４６に挿通してナット３６により固定するアンカー用の全ねじボルト３２を、可能な限りスリーブ本体１２側に寄せた状態で固定することを可能とし、コンクリート床を構築する際に配置した鉄筋に対して床スリーブ１０を仮止めする際に、アンカー用の全ねじボルト３２が鉄筋に当たらないように位置調整を可能としている。
【００４６】
Ｕボルト２８はＵ字締結部材として機能し、図６の組立分解の正面に示すように、配管固定部材２２における垂直固定片２６に形成した一対の長穴３１に、図４（Ｂ）及び図５に示すように、Ｕ字端部のネジ部２８ａを挿通し、ネジ部２８ａに対するナット３６の螺合により配管４０を間に垂直固定片２６に締め付け固定可能としている。なお、Ｕボルト２８の代わりに、Ｕ字端部にボルトを装着したＵバンドをＵ字締結部材として使用しても良いし、配管の外側に分割ドーナツ形のスペーサを介在し、Ｕボルト２８によりスペーサを介して垂直固定片２６に配管を締め付け固定しても良い。
【００４７】
（蓋部材）
蓋部材３０は、図３の斜視図及び図６の組立分解の正面に示すように、円盤状に窪み形成した蓋本体３０ａと、蓋本体３０ａの周囲に一体に形成した鍔部３０ｂで構成しており、スリーブ本体１２の上部開口に蓋本体３０ａを鍔部３０ｂがスリーブ開口に当る位置まで押し込んで、スリーブ本体１２の上部開口を閉鎖している。
【００４８】
また、スリーブ本体１２の上部開口に装着した蓋部材３０は、配管固定機構２０を利用して仮止め固定している。即ち、スリーブ本体１２の上部開口に蓋部材３０を装着する場合には、配管固定部材２２のボルト３４を緩めることで、支持基台１５の取付台部１６に対し配管固定部材２２を浮かせて十分な隙間を形成可能としておき、配管固定部材２２の取付台部１６との隙間に蓋部材３０の一部を差し入れるようにしてスリーブ本体１２の上部開口に嵌め入れて閉鎖する。
【００４９】
続いてボルト３４に対するナット３６の螺合により、取付台部１６に配管固定部材２２を固定することで、その間に蓋部材３０の鍔部３０ａを部分的に挟み付けて仮止め固定する。
【００５０】
床スリーブ１０を鉄筋の仮枠等に仮止め固定した状態でコンクリートを打設してコンクリート床を形成した場合には、図８に示すように、スリーブ本体１２の上部開口に装着して仮止め固定していた蓋部材３０を、ボルト３４を緩めて配管固定部材２２を取付台部１６から浮かせることで取り外し、上下に開口した床スリーブ１０に配管を通して固定支持する作業を行うことになる。
【００５１】
なお、配管固定部材２２の垂直固定片２６に対するＵボルト２８の組付けは、床スリーブ１０をコンクリート打設により床面に埋込設置した後の配管固定作業の際に使用することから、コンクリート打設前には、Ｕボルト２８は外しておいても良い。
【００５２】
［床スリーブユニットを用いた床工事］
図９は床工事における床スリーブユニットの組付け配置を示した説明図である。図９に示すように、床工事に際しては、図示しない建物の鉄骨構造物に対し床面下部（下の階の天上裏面）に仮枠４８を構築し、仮枠４８における水回りとなる所定位置に本考案の床スリーブユニット１を配置し、デッキプレート１１の周囲に形成した通し穴に釘打ちして仮止めする。続いて鉄筋５０を配筋し、床スリーブユニット１に固定している床スリーブ１０に当接している鉄筋５０に対し針金などの結束線を使用して固定する。
【００５３】
ここで、支持基台１５の下側の床面固定台部１８に対するアンカー用の全ねじボルト３２の取付けは、床スリーブ１０を配筋した鉄筋５０に結束線による固定する際に、床面固定台部１８の下側に飛び出した全ねじボルト３２が鉄筋５０に当って床スリーブ１０を予定した位置に固定できない可能性があることから、全ねじボルト３２を、図７（Ｂ）に示した床面固定台部１８の長穴４６の内側に寄せ、スリーブ本体１２に近づけた状態で固定し、全ねじボルト３２が鉄筋５０に対し邪魔にならないようにする。
【００５４】
また、Ｕボルト２８については、ナット３６を螺合して脱落しないようにしておけばよい。なお、Ｕボルト２８は配管固定を行うまでは使用しないことから、床スリーブ１０から外しておき、配管固定作業の際に取り付けるようにしても良い。
【００５５】
このように床スリーブユニット１を仮枠４４及び鉄筋４６に固定した状態でコンクリートの打設作業を行うが、このときデッキプレート１１に配置している複数の床スリーブ１０におけるスリーブ本体１２の上部開口は蓋部材２６の装着により閉鎖されているため、スリーブ本体１２の中に打設したコンクリートは入ることはない。
【００５６】
図１０はコンクリート打設により埋め込まれた床スリーブユニットを示した説明図である。図１０に示すように、コンクリート打設によりコンクリート床５２が構築されると、予め配置している床スリーブユニット１に設けた複数の床スリーブ１０のスリーブ本体１２がコンクリート床５２に埋設される。
【００５７】
また、スリーブ本体１２の上部に設けた支持基台１５の下側の床面固定台部１８がコンクリート床５２の上面に位置し、床面固定台部１８に上部を固定した全ねじボルト３２の下側が、途中に嵌め入れたナット３６と共にコンクリート床５２の中に埋設固定され、これによりスリーブ本体１２をコンクリート床５２に対し強固に支持固定することができる。
【００５８】
また、スリーブ本体１２の上部開口を閉鎖している蓋部材３０及び配管固定機構２０はコンクリート床５２の外側に位置しており、配管の固定支持作業に際し、ボルト３４を緩めることで配管固定部材２２を取付台部１６から浮かせて蓋部材３０を取り外す。
【００５９】
図１１は床スリーブユニットの床スリーブに一体に設けた配管固定機構による配管の支持固定を側面から示した説明図、図１２は配管の支持固定を正面から示した説明図である。
【００６０】
図１１及び図１２に示すように、床スリーブユニット１に設けた複数の床スリーブ１０のスリーブ本体１２に対し配管４０を通して固定支持する場合、まずボルト３４を緩めることで配管固定部材２２を固定台部１８から浮かせて蓋部材３０を取り外す。
【００６１】
続いて、床スリーブ１０のスリーブ本体１２に対し配管４０を通して固定支持する場合、Ｕボルト２８のナット３６を緩めて広げておき、Ｕボルト２８及びスリーブ本体１２を通して配管４０を配置し、配管４０の位置決め等が済んだならば、Ｕボルト２８のネジ部２８ａに螺合しているナット３６を締め込み、図４（Ｂ）に示したように、Ｕボルト２８により配管４０を配管固定部材２２に締め付け固定する。
【００６２】
この場合、スリーブ本体１２の上部に一体に設けている配管固定機構２０については、スリーブ本体１２に通す配管４０の外径が予め決まっていることから、図４（Ｂ）に示すように、平面から見て、Ｕボルト２８により配管固定部材２２に配管４０を支持固定した状態で、スリーブ本体１２の中心軸線に配管４０の中心軸線が一致するように、取付台部１６に対し配管固定部材２２を位置調整し、ボルト３４とナット３６により配管固定部材２２をＵボルト２８で取付台部１６に締め付け固定する。
【００６３】
これによりＵボルト２８による配管固定部材２２に対する締め付け固定で、配管４０の中心軸線がスリーブ本体１２の中心軸線に略一致するように支持固定され、スリーブ本体１２と配管４０との間に均一な隙間が形成される。続いて、スリーブ本体１２と配管４０との間の隙間に、不燃材やシール材を圧入して隙間を塞ぐ。
【００６４】
このためコンクリートを打設して床を構築した後に、床スリーブユニット１に設けた複数の床スリーブ１０の開口部に配管固定部を設置する現場作業が不要となり、溶接装置を必要とすることなく、作業現場において床スリーブユニット１に設けた複数の床スリーブ１０を高さ方向に挿通する配管を、床スリーブ１０の上部に一体に設けた配管固定機構１５により支持固定することができ、工事作業の効率を大幅に高めることができる。
【００６５】
また、床スリーブユニット１を鉄筋構造物の仮枠４８に固定してコンクリートを打設する場合、床スリーブ１０の上部開口は蓋部材３０の仮止めにより完全に閉鎖されており、打設したコンクリートが床スリーブ１０の中に入ることを確実に防止し、配管作業を行う場合に配管固定機構２０を利用して仮止めしている蓋部材３０を取り外すことで、コンクリートが中に入っていない状況で効率良く配管を通して支持固定することを可能とする。
【００６６】
［本考案の変形例］
上記の実施形態は、床スリーブユニット１に３本の床スリーブ１０を設けた場合を例にとるものであったが、必要に応じて任意の数の床スリーブを設けても良い。また、床スリーブユニットに設ける床スリーブは、挿通する配管の外径に対応して異なった内径サイズをもつ複数種類の床スリーブを設けても良い。
【００６７】
また、本考案は上記の実施形態に限定されず、その目的と利点を損なうことのない適宜の変形を含み、更に上記の実施形態に示した数値による限定は受けない。
【符号の説明】
【００６８】
１：床スリーブユニット
１０：床スリーブ
１１：デッキプレート
１１ａ：スリーブ配置穴
１１ｂ：通し穴
１２：スリーブ本体
１４：脚部
１５：支持基台
１６：取付台部
１８：床面固定台部
２０：配管固定機構
２２：配管固定部材
２４：水平固定片
２６：垂直固定片
２８：Ｕボルト
３０：蓋部材
３２：全ねじボルト
３４：ボルト
３６：ナット
４０：配管
５２：コンクリート床
【図１】
0003200323.tif 000003
【図２】
0003200323.tif 000004
【図３】
0003200323.tif 000005
【図４】
0003200323.tif 000006
【図５】
0003200323.tif 000007
【図６】
0003200323.tif 000008
【図７】
0003200323.tif 000009
【図８】
0003200323.tif 000010
【図９】
0003200323.tif 000011
【図１０】
0003200323.tif 000012
【図１１】
0003200323.tif 000013
【図１２】
0003200323.tif 000014
【図１３】
0003200323.tif 000015
【図１４】
0003200323.tif 000016
【図１５】
0003200323.tif 000017
【図１６】
0003200323.tif 000018
【図１７】
0003200323.tif 000019
【図１８】
0003200323.tif 000020